(57)【要約】【課題】従来に比べて、鮮度保持が優れ、化学薬品等を何ら用いずに鮮度保持ができる切り花の鮮度保持方法を開発・提供することにある。【解決手段】ナノバブル水を用い、切り花の鮮度保持をする方法において、１ｍlあたり、粒径１０ｎｍ以上３００ｎｍ以下の範囲において多くの微細気泡を製造するナノバブル発生装置を用い、水中に、空気を８分間ナノバブル処理して得た処理水、ナノ水を、あるいは、水中に酸素を８分間ナノバブル処理して得た処理水を酸素ナノ水を、適宜な容器に入れ、該処理水に切り花を活けることを特徴とする切り花の鮮度保持方法。【選択図】      なし【特許請求の範囲】
【請求項１】
ナノバブル水を用い、切り花の鮮度保持をする方法において、
１ｍlあたり、粒径１０ｎｍ以上３００ｎｍ以下の範囲において多くの微細気泡を製造するナノバブル発生装置を用い、
水中に、空気を８分間ナノバブル処理して得た処理水、
あるいは、水中に酸素を８分間ナノバブル処理して得た処理水を
適宜な容器に入れ、これら各処理水に切り花を入れ
適宜な温度のもとで活ける
ことを特徴とする切り花の鮮度保持方法。
【請求項２】
ナノバブル水を用い、切り花の鮮度保持をする方法において、
１ｍlあたり、粒径１０ｎｍ以上３００ｎｍ以下の範囲において多くの微細気泡を製造するナノバブル発生装置を用い、
水中に、酸素を３０分間ナノバブル処理して得た処理水を、
適宜な容器に入れ、これら各処理水に切り花を入れ
適宜な温度のもとで活ける
ことを特徴とする切り花の鮮度保持方法。
【請求項３】
温度が、常時、１８°Ｃ〜２０°Ｃであることを特徴とする請求項１または２記載の切り花の鮮度保持方法。
【発明の詳細な説明】
【技術分野】
【０００１】
この発明は、切り花の鮮度保持方法に関するものである。
【背景技術】
【０００２】
従来、切り花を購入する消費者の多くは、花の魅力について、心を癒す、季節感がある、華やぐ、そして心を豊かにする等の価値観を見出している。
【０００３】
一方、切り花の鮮度や寿命が短いことから、切り花を取り扱う業者によっては、鮮度を保持する方法として、冷蔵保存による開花を遅らせ、また、日々の水の取り替えを行って日持ちに対応している。
【０００４】
また，その鮮度を保持する方法、即ち，日持ちに対応するための一手段として、新鮮な切り花を鮮度保持剤で調整された鮮度保持処理液に活けて、水揚げを良くする水揚げ処理方法が普及している。
【０００５】
この鮮度保持剤には、一般に、塩素系の栄養剤を含有するもの、糖質系の栄養剤を含有するもの、これらの殺菌剤および栄養剤の両者を含有するもの等がある。
【０００６】
これらの鮮度保持剤を使用する態様は、生産地、卸し市場、小売店等で大幅に異なっていて、いわば、鮮度保持剤の使用や鮮度保持方法は、使用者のノウハウの領域にあった。
【０００７】
更に、切り花の鮮度を保持する方法として、新鮮な切り花を鮮度保持剤で調整された鮮度保持処理液に活けて、水揚げする水揚げ処理する方法が普及している。例えば、特許文献１，特許文献２，そして特許文献３のように。
【先行技術文献】
【特許文献】
【０００８】
【特許文献１】特開２０００−２８１５０１号公報
【特許文献２】特開２０００−１０９４０１号公報
【特許文献３】特開２００５−００８５４２号公報
【特許文献４】特開平５−１４６２２０号公報
【０００９】
しかしながら、これらの技術には、塩化カリウム、塩酸、無機塩等の化学物質を用いての、保存方法であり、これらの使用済みの液、即ち，廃液は環境にやさしい処理液であることが望ましい。
【００１０】
さらに、一般消費者の８０％以上の人が、「切り花は、７日以上は日持ちしてほしい」という願いを達成すべく、花卉類である小菊およびバラと、球根類である水仙およびチューリップを用いて、日持ち性の向上と同時に環境に優しい切り花の鮮度保持方法をナノ水を用いて達成しようとするものである。
【発明の概要】
【発明が解決しようとする課題】
【００１１】
そこで、この発明の課題は、従来に比べて、鮮度保持が優れ、化学薬品等を何ら用いずに鮮度保持ができる切り花の鮮度保持方法を開発・提供することにある。
【課題を解決するための手段】
【００１２】
上記の課題を解決するため、出願人が保有する微細気泡（ナノバブル）発生装置を用いて、水中に空気、または酸素を水中に溶かした溶液を用いて、切り花の鮮度保持をするものである。
【発明の効果】
【００１３】
この発明によると、球根類であるラッパ水仙及びチューリップ、花卉類であるバラおよび小菊に、化学品を含まない各試験水を使用することにより、また、表２に示すように、使用したナノバブルの経時変化の測定の結果、約１ケ月を経過しても大きな変化は認められず、これら両実験結果より、空気を８分間ナノバブル化処理した試験水ＨＮ・８とＨ０Ｎ・８を使い分けることにより花卉の活性維持に寄与する効果を奏する。
【００１４】
また、一時の花弁の勢いを求める場合には多くの酸素が溶存している試験水であるＨ０Ｎ・３０の使用も可能である等極めて有益なる効果を奏する。
【発明を実施するための形態】
【００１５】
以下、本発明について詳細に説明する。なお、本発明においては、以下の記述に限定されるものではなく、本発明の要旨を逸脱しない範囲においては適宜変更可能である。
【実施例】
【００１６】
この発明の実施例として、下記の花卉の種類として、
〔実施例１〕として、ラッパ水仙（品種：グレンファークラス，色：黄色，状態：開花）〔実施例２〕として、チューリップ（品種：フェラーリ，色：赤色，  状態：蕾）、
〔実施例３〕として、バラ（品種：レッドスター，色：赤色，  状態：やや蕾）、
〔実施例４〕として、小菊（品種：太陽の金華，  色：黄色，  状態：蕾）それぞれの例を観察する。
【００１７】
これらの各花卉には、ナノバブル発生装置〔本願出願人が取得した特許第４５６３４９６号発明（発明の名称：微細気泡発生器及び微細気泡発生装置）〕により調整された溶液をそれぞれ２００ｍl容器に入れてこれらの生育を観察する。
【００１８】
そして、調整された溶液とは、次のものをいう。
〔ａ〕  水中に空気を０８分間ナノバブル処理したナノ水（以下、ＨＮ・８）
〔ｂ〕  水中に空気を３０分間ナノバブル処理したナノ水（以下、ＨＮ・３０）
〔ｃ〕  水中に酸素を０８分間ナノバブル処理した酸素ナノ水（ＨＯＮ・８）
〔ｄ〕  水中に空気を３０分間ナノバブル処理した酸素ナノ水（ＨＯＮ・３０）
【００１９】
また、これらの生育環境は、温度が、常時２０±２°Ｃの室内で行った。
【００２０】
さらに、生育の観察は、
（イ）  葉色の変化、（ロ）  花色の変化、（ハ）  茎の様子、（ニ）  蕾みの開花様子、そして、（ホ）  溶液の変化についてそれぞれ行った。
【００２１】
先ず、この発明に切り花として使用した〔第一実施例〕として、ラッパ水仙について考察する。球根類であるラッパ水仙は、観察開始後、４日目において、いずれの方法で処理した溶液を用いても大きな相違は認められなかった。
【００２２】
しかし、ナノバブル処理したそれぞれの試験水（ＨＮ・８，ＨＮ・３０，ＨＯＮ・８およびＨＯＮ・３０）を比較すると、花弁の様子から当初は水の中に溶けている酸素量（溶存酸素量）の影響が観察され、空気をナノバブル化した試験液と酸素をナノバブル化した試験液を比較すると、酸素をナノバブル化した試験液ＨＯＮ・８とＨＯＮ・３０に僅かながら花の勢いが見られた。
【００２３】
また、溶存酸素量の影響から、経時変化を観察したところ、試験液ＨＯＮ・８に多少安定した開花の維持効果が認められた。
【００２４】
しかし、全般的に４日目を過ぎると葉っぱの上部が黄色く変色（枯れ始め）し、７日目には花弁に勢いがなく、内側に花弁が巻くようになった。
【００２５】
これらのことから、ナノ処理した試験液はラッパ水仙の葉の色および花弁色への鮮度向上と持続性にはあまり大きな影響を及ぼす効果はないと判断した。また、ナノバブル水のナノバブル発生量の経時変化は次の〔表１〕のとおりであった。
【００２６】
【表１】
2013201974.tif 000002
【００２７】
次に、この発明の、切り花として使用した〔第二実施例〕として、チューリップについて考察すると、
【００２８】
同じ球根類であるチューリップでは、４日目に比較のために一般水道水と、酸素をナノバブル処理したＨＯＮ・８およびＨＯＮ・３０を比較すると、花弁の開き具合はナノ処理した時間に関係なく酸素処理したナノバブル水溶液は花弁の赤色が少し鮮明になると同時に花弁の開き具合が多少早くなる傾向が認められた。
【００２９】
特に、ＨＯＮ・３０では経時変化とともに花弁の開き具合が大きくなる様子と茎の上部が黄変と屈曲が観察された。
【００３０】
また、ラッパ水仙と同様に一時の勢いは、酸素ナノバブル処理した試験液（ＨＯＮ・８およびＨＯＮ・３０）に認められたが、安定したチューリップの様子としては空気をナノバブル処理したＨＮ・３０試験液よりもナノバブル処理時間が短いＨＮ・８試験水の方が溶存酸素量として適切な量であるものと思われ、幾分、開花した花弁に良い様子が観察された。
【００３１】
全般的に５日目で花弁が開花し、一般の水道水で生育したチューリップと比較してもラッパ水仙と同様に花弁の赤色は経時的（７日目）に黒ずんだ様子と茎が垂れ下がり、全般的に勢いがなくなった様子が見られるなど大きな相違は認められなかった。
【００３２】
さらに、この発明の切り花として使用した〔第三実施例〕として、バラについて考察すると、
【００３３】
花木類であるバラは、空気および酸素をナノバブル処理した試験水によっては、開花および花弁の色彩に経時変化により大きな相違が観察された。
【００３４】
即ち，４日目に蕾である花弁の開花に相違が観察され、酸素処理したナノバブル試験水ＨＯＮ・３０では溶存酸素量が大きいことから、他の試験水のバラに比べても花弁が大きく開花する様子が観察され、同時に花弁の色が多少、他のバラと異なり一番鮮やかな赤色になっていることを観察することができた。
【００３５】
一方、葉の色とその勢いの様子を観察すると、酸素処理したナノバブル試験水ＨＯＮ・８とＨＯＮ３０では、葉の広がり具合に勢いきのある様子を観察することができた。
【００３６】
しかし、７日目経過した観察では、酸素処理したナノバブル試験水ＨＯＮ・８とＨＯＮ３０において、溶存酸素量の影響と考えられる花弁の外弁が少し黒ずんだ様子が観察され、同時に葉が全体的に垂れ下がった様子も観察することができた。
【００３７】
一方、空気をナノバブル処理した試験水ＨＮ・８とＨＮ・３０では、一般水道水を試験水としたバラの様子と比較した場合、葉の垂れ下がりもなく、しかもバラの花弁の赤色がしっかり保持されており、前記の酸素処理したナノバブル試験水ＨＯＮ・３０よりも良好な結果を得ることができた。
【００３８】
１２日目の経時観察では、空気をナノバブル処理した試験水ＨＮ・３０がバラとしての開花花弁の赤色を保持しており、葉についても勢いがある様子が感じられた。
【００３９】
花木を購入する際に、一般消費者の約８０％が希望している「７日以上は日持ちしてほしい」というアンケートを十分にクリアーした結果となった。
【００４０】
この結果から、バラは酸素をナノバブルした試験水においては、当初は過剰な溶存酸素がバラの勢いを後押し維持し７日目まで花弁の赤色に勢いがある様子が観察することができた。
【００４１】
しかし、経時変化とともに過剰な溶存酸素量の負の影響と思われる様子として、花弁に黒ずみが観察されるようになった。
【００４２】
最適な試験水としては、空気をナノバブル処理した試験水の中でもＨＮ・３０であり、バラが必要とする最適な空気中の酸素量が溶存酸素として存在し、１２日目を経過しても良好な生育に関与し維持したものと考察した。
【００４３】
最後に、この発明の切り花として使用した〔第四実施例〕として、小菊について考察すると、
【００４４】
小菊の場合、前もって開花している花弁は、４日目で酸素をナノバブル処理した試験水ＨＯＮ・８とＨＯＮ・３０では十分に咲ききったような様子を観察することができ、特に試験水ＨＯＮ・３０では十分な溶存酸素の影響と思われる様子が開花された花弁に勢いを及ぼしている様子が顕著に認められた。
【００４５】
一方、空気をナノバブル処理した試験水ＨＮ・８とＨＮ・３０では、ＨＮ・３０の試験水の方が比較した一般水道水を試験水とした小菊の前もって開花している花弁よりも僅かに早く開花し、しかも蕾の開花速度も少しなら早い様子を観察することができた。
【００４６】
一般に菊類は飾り花として長く咲く特徴があり、観察者の２１日目の観察でも、今回実験で使用した花卉の中でも開花した花の日持ちが長い様子が観察された。
【００４７】
一般水道水として小菊の開花と比較すると、空気をナノバブル化した試験水ＨＮ・８では当初からの蕾の咲く様子が見られなかった。
【００４８】
しかし、試験水ＨＮ・３０では葉っぱが全体的に垂れ下がっているが、蕾は試験水ＨＮ・８より咲いている様子が観察された。
【００４９】
また、酸素をナノバブル化した試験水ＨＯＮ・８は葉っぱにも勢いがあり、蕾の開花が進み、一番多く咲いている様子が観察することができた。
【００５０】
一方、試験水ＨＯＮ・３０では葉っぱが垂れた様子が観察され、同時に蕾の開花を観察することがでとなかった。
【産業上の利用可能性】
【００５１】
この発明によると、それぞれの切り花の鮮度保持方法の技術を確立し、その確立された技術に基づいて製造・販売することにより、産業上の利用可能性があるものである。
【手続補正書】
【提出日】平成24年4月3日(2012.4.3)
【手続補正１】
【補正対象書類名】明細書
【補正対象項目名】００５０
【補正方法】変更
【補正の内容】
【００５０】
一方、試験水ＨＯＮ・３０では葉っぱが垂れた様子が観察され、同時に蕾の開花を観察することができなかった。